(57)【要約】【課題】  複雑多岐にわたる光ケーブルネットワークの中から、将来使用予定の光ケーブル心線の予約を効率良く行えるようにする。【解決手段】  光ケーブルと各設備の接続状態を示す設備図を表示装置に表示する第１の手段と、表示された接続図で光ケーブルシンボルの選択操作を受付け、その選択された光ケーブルシンボルの光ケーブル中に存在する各心線に関する現在状態の情報を心線状態情報記憶手段から取得し、各心線の現在状態を表示する第２の手段と、表示された各心線の現在状態のうち選択された心線に関する新たな状態属性、予約者名などの属性を受付け、心線状態情報記憶手段に記憶された各心線の状態情報を更新する第３の手段と、更新された各心線の状態情報を集計して表示装置に表示する第４の手段とを備える。【選択図】      図６
2006333537.tif 000002
【特許請求の範囲】
【請求項１】
光ケーブルネットワーク設備を管理するシステムであって、
光ケーブルネットワークの設備図データを設備図記憶手段から取得し、光ケーブルと各設備の接続状態を示す設備図を表示装置に表示する第１の手段と、
表示された接続図上におけるいずれかの光ケーブルシンボルの選択操作を受付け、その選択された光ケーブルシンボルの光ケーブル中に存在する各心線に関する現在状態の情報を心線状態情報記憶手段から取得し、各心線の現在状態を表示装置に表示する第２の手段と、
表示された各心線の現在状態のうちいずれかの心線の選択操作を受付けた後、選択された心線に関する新たな状態属性、予約者名などの属性を受付け、前記心線状態情報記憶手段に記憶された各心線の状態情報を更新する第３の手段と、
更新された各心線の状態情報を集計して表示装置に表示する第４の手段と、
表示装置に表示された設備図上で、心線の状態情報が更新されたケーブルを強調表示する第５の手段と
を備えることを特徴とする光ケーブルネットワーク設備管理システム。
【請求項２】
前記第３の手段が、選択された心線について単独で状態情報を更新するか、当該心線に接続された他の光ケーブルの心線についても一括して状態情報を更新するかの指定操作を受付け、一括更新の指定が行われた場合には、当該心線に接続された他の光ケーブルの心線の接続情報を心線接続情報記憶手段から検索し、検索した他の光ケーブルの心線の状態情報を一括更新する手段を備えていることを特徴とする請求項１に記載の光ケーブルネットワーク設備管理システム。
【発明の詳細な説明】
【技術分野】
【０００１】
本発明は、光ケーブルネットワーク設備を管理する管理システムに係り、特に光ケーブル心線の予約管理機能を設けた光ケーブルネットワーク設備管理システムに関するものである。
【背景技術】
【０００２】
従来、光ケーブルネットワークという日々、追加・更新が発生する複雑なネットワークにおいて、どの光ケーブル心線を誰が何時どういう目的で使用する等の情報は、図面または表計算ソフト等により人手で調査、情報を付与し、決定していた。なお、本発明に関連する公知技術文献としては下記の特許文献１、２がある。
【特許文献１】特開２００２−７８１２８
【特許文献２】特開２００２−６０５６９
【発明の開示】
【発明が解決しようとする課題】
【０００３】
しかしながら、光ケーブル毎の心線を調査し、調査した光ケーブル心線の予約情報の評価などを行い、最終的な予約情報を付与するかどうかを決定するまでに多大な時間を要するといった問題があった。
さらに、予約を手間取っている間に、将来、使用を計画している心線を他部署等に他の目的で使用されるという問題があった。
また、人手で選定した光ケーブル心線のルートが妥当なものであるかを評価するのが困難であるといった問題があった。
【０００４】
本発明の目的は、複雑多岐にわたる光ケーブルネットワークの中から、必要とする光ケーブル心線を効率良く予約し、かつ予約したルートが妥当であるかを容易に評価することができる光ケーブルネットワーク設備管理システムを提供することにある。
【課題を解決するための手段】
【０００５】
上記目的を達成するために、本発明は、光ケーブルネットワークの設備図データを設備図記憶手段から取得し、光ケーブルと各設備の接続状態を示す設備図を表示装置に表示する第１の手段と、表示された接続図上におけるいずれかの光ケーブルシンボルの選択操作を受付け、その選択された光ケーブルシンボルの光ケーブル中に存在する各心線に関する現在状態の情報を心線状態情報記憶手段から取得し、各心線の現在状態を表示装置に表示する第２の手段と、表示された各心線の現在状態のうちいずれかの心線の選択操作を受付けた後、選択された心線に関する新たな状態属性、予約者名などの属性を受付け、前記心線状態情報記憶手段に記憶された各心線の状態情報を更新する第３の手段と、更新された各心線の状態情報を集計して表示装置に表示する第４の手段と、表示装置に表示された設備図上で、心線の状態情報が更新されたケーブルを強調表示する第５の手段とを備えることを特徴とする。
また、前記第３の手段が、選択された心線について単独で状態情報を更新するか、当該心線に接続された他の光ケーブルの心線についても一括して状態情報を更新するかの指定操作を受付け、一括更新の指定が行われた場合には、当該心線に接続された他の光ケーブルの心線の接続情報を心線接続情報記憶手段から検索し、検索した他の光ケーブルの心線の状態情報を一括更新する手段を備えていることを特徴とする。
【発明の効果】
【０００６】
本発明によれば、表示装置に表示された設備図上で、光ケーブルの光ケーブル心線を選択し、予約、キャンセルなどの状態を更新するようにしたので、使用目的の光ケーブル心線を迅速に効率良く予約し、他の目的で使用されることがなくなり、光ケーブルネットワーク設備の管理が容易に行えるようになる。
さらに、更新した状態情報を、使用目的に合わせて集計したり、設備図上で強調表示させるようにしたので、状態情報を更新した光ケーブル心線の経路の妥当性や、新たな設備投資等の必要性を容易に判断できるようになる。
【発明を実施するための最良の形態】
【０００７】
以下、本発明を実施する場合の一形態を図面を参照して具体的に説明する。
図１は、本発明に係る光ケーブルネットワーク設備管理システムの実施の一形態を示すブロック図である。
本実施形態における光ケーブルネットワーク設備管理システムは、図１に示すように、キーボードとマウスから成る入力装置１と、設備図上に管理設備シンボルを表示したり、その設備シンボルから属性ファイルを参照したり、属性ファイルで管理する項目を条件に地図を検索したりする中央処理装置２と、光ケーブル通信ネットワーク設備シンボルおよび地図シンボルを格納した設備図ファイル３と、設備図ファイル３内の各シンボルおよび各設備間のリンク情報を格納した属性ファイル４と、属性ファイル４の内容および設備図ファイルを出力する表示装置５とからなっている。
属性ファイル４は、各設備の設備名称などの設備情報を管理する属性情報６と、光ケーブルと接続設備の接続関係を管理する光ケーブル接続情報７と、光ケーブル心線同士の接続関係を管理する光ケーブル心線接続情報８と、光ケーブル心線の状態情報属性を管理する光ケーブル心線状態情報９から構成されている。
【０００８】
図２は、属性情報６の構成を示す図であり、最小構成の属性として、ユニークＩＤである設備ＩＤがあり、その他に設備名称がある。
【０００９】
図３は、光ケーブル接続情報７の構成を示す図であり、最小構成の属性として、ユニークＩＤであるケーブルＩＤがあり、その他にケーブル名称、ケーブルの２つの端設備の設備ＩＤ１・２、心線数がある。
【００１０】
図４は、光ケーブル心線接続情報８の構成を示す図であり、最小構成の属性として、接続を行った設備の設備ＩＤ、接続する２本の心線のケーブルＩＤ、心線Ｎｏあり、設備ＩＤ、ケーブルＩＤ１、心線Ｎｏ組合わせでユニークとなるように構成されている。
【００１１】
図５は、光ケーブル心線状態情報９の構成を示す図であり、最小構成の属性として、ユニークＩＤである更新ＩＤがあり、その他にケーブルＩＤ、心線Ｎｏ、現在状態、担当者、入力日等の項目がある。
現在状態には、「計画中」、「キャンセル」、「不良」、「空き」、「使用中」といった状態情報が設定される。
「使用中」とは実際に使用中であることを示し、「計画中」とは実際には使用中ではないが、新たなルートを形成するために既に予約済みであることを示している。「不良」とは断線などの理由により使用不可能であることを示している。「空き」とは使用中でもなく、予約済みでもないことを示している。新たに使用予定の心線を予約する場合には、状態情報を「計画中」に設定し、その担当者名などの属性を入力する。
【００１２】
図６は、光ケーブルネットワーク設備シンボルである光ケーブル１１と光ケーブル１１の接続設備としてのクロージャ１２と、建物設備１３などを配置した設備図１０を設備図ファイル３の設備図シンボルと地図シンボルに基づき表示装置５の画面に表示した状態において、光ケーブル心線予約の方法を説明するための説明図である。
図７は、設備図１０の表示状態において、光ケーブル心線予約情報属性の集計の方法と設備図１０への強調表示方法を説明するための図である。
【００１３】
光ケーブルネットワーク上において、光ケーブル心線の予約を行う場合、図６に示す設備図１０を表示画面に表示した状態において、ケーブル１１を指定するか、ケーブルの接続設備であるクロージャ１２を指定する。
なお、設備図１０を設備図ファイル３の設備図シンボルと地図シンボルに基づき表示装置５の画面に表示する方法については、既に知られているので、その説明は省略する。
【００１４】
設備図１０において、ケーブル１１をマウスクリック操作などによって指定した場合は、光ケーブル心線選択画面１４に遷移し、その選択したケーブル１１に含まれている全ての心線の状態を光ケーブル心線状態情報９から検索し、心線Ｎｏ毎に、計画中、空き、使用中などの現在状態を表示させる。そして、新たに使用予定の心線を予約する場合には、現在状態が「空き」または「キャンセル」となっている心線のうちいずれかを選択し、ＯＫボタン１４１を操作することによって予約する。
【００１５】
クロージャ１２を指定した場合は、光ケーブル心線接続・切断画面１５に遷移し、そのクロージャ１２の設備ＩＤに基づき、当該クロージャ１２の両端に接続されている全ての光ケーブルのケーブルＩＤを光ケーブル接続情報７から検索し、さらにその光ケーブルＩＤに基づき光ケーブル心線接続情報８および心線状態情報９を検索し、クロージャ１２の両端において接続されている心線の接続情報および現在状態を表示させる。
図６の光ケーブル心線接続・切断画面１５においては、上段の表示欄１５１に光ケーブル心線接続情報８から検索した接続済みのケーブル名称と心線Ｎｏが表示されていることを示している。この表示欄１５１の中の１対のケーブル心線をマウスクリック操作によって選択し、切断ボタン１５４を操作し、さらにＯＫボタン１５５を操作すると、その選択したケーブル心線が切断対象として決定される。
下段の表示欄１５２、１５３には、ケーブルＩＤ毎の心線現在状態が表示されていることを示している。この表示欄１５２，１５３で、ケーブルＡ、Ｂの中の空き状態の心線を選択し、接続ボタン１５６を操作し、ＯＫボタン１５５を操作すると、それらの心線同士が接続対象として決定される。
【００１６】
予約対象の心線、または切断対象、接続対象の心線が決定したならば、状態情報属性入力画面１６に遷移し、ユーザに予約対象、または切断対象、接続対象として決定した光ケーブル心線の新たな状態情報の属性の入力を促す。属性としては、予約する光ケーブル心線の状態（計画中、キャンセル、切断、空き）に加え、担当者、予約日等の業務で必要な属性を入力する。また、本画面において、光ケーブル心線の状態を更新する範囲を単独または追跡の中から選択する。
単独とは、指定した光ケーブル心線のみを対象にして状態情報属性を更新するものである。この場合、選択した光ケーブル心線が他の光ケーブル心線と接続されていても、他の光ケーブル心線の状態情報属性は更新されない。
追跡とは、選択した光ケーブル心線の接続情報を追跡し、光ケーブル心線が接続されている範囲について一括で状態情報属性を更新するものである。光ケーブル心線の接続情報を追跡するため、一度に多数の光ケーブル心線についての状態情報属性を更新可能であるため、入力作業の大幅な低減が可能である。
【００１７】
ユーザによって、状態情報属性の入力が終了すると、状態情報属性作成処理１７を実行し、光ケーブル心線予約情報９を更新する。
詳しくは、光ケーブル心線選択画面１４において、「空き」または「キャンセル」となっている心線のうちいずれかを選択した場合、その選択した心線について状態情報属性入力画面１６で入力した担当者、計画中などの属性が設定される。
また、光ケーブル心線接続・切断画面１５においていずれか１対の心線を接続または切断することを選択した場合、その選択した心線について状態情報属性入力画面１６で入力した使用中または空き、担当者などの属性が設定される。
【００１８】
図８は、状態情報属性作成処理１７の詳細を示すフローチャートである。
状態情報属性作成処理１７においては、利用者が選択した光ケーブルおよび心線Ｎｏを特定する（ステップ８０１、８０２）。
次に、更新範囲を判定し（ステップ８０３）、単独であれば、ユーザが指定した光ケーブルのＩＤおよび心線Ｎｏ、状態情報を光ケーブル心線状態情報９に格納する（ステップ８０５）。
更新範囲が追跡であれば、光ケーブル心線接続情報８を元に光ケーブル心線の接続の追跡を行い、接続されている範囲の光ケーブル心線Ｎｏを読出し（ステップ８０４）、光ケーブル心線状態情報９を更新する（ステップ８０５）。
以上により、設備図１０に表示された光ケーブルネットワークから光ケーブル１１またはクロージャ１２または建物設備１３を選択し、その中に含まれる光ケーブル心線の新規予約、切断、接続などの状態を効率良く更新することができる。
【００１９】
一方、状態情報の集計を行うには、図７において、状態情報集計画面１８を表示させ、集計対象となる状態情報の条件（担当者名や状態）を指定する。指定が行われると、図９のフローチャートに示す状態情報属性集計処理２０を実行する。
集計処理２０では、まず集計の検索条件を状態情報集計画面１８から取得し（ステップ９０１）、光ケーブル心線状態情報９、各設備の属性情報６、光ケーブル接続情報７、光ケーブル心線接続情報８の各情報を読出し（ステップ９０２）、状態情報属性集計結果画面２２を表示し（ステップ９０３）、計画中などの更新された現在状態をケーブル心線単位で担当者名を付記して表示する。
【００２０】
更新された状態情報の強調表示を行うには、図７において、状態情報選択画面１９で、強調表示の対象となる状態情報の条件を指定する。指定が行われると、図１０のフローチャートに示す状態情報属性強調表示処理２１を実行する。
強調表示処理２１では、まず強調表示対象の状態情報を取得し（ステップ１００１）、光ケーブル心線状態情報９、各設備の属性情報６、光ケーブル接続情報７、光ケーブル心線接続情報８の各情報を読出し（ステップ１００２）、設備図１０上に対応するケーブルを特定し（ステップ１００３）、特定したケーブルの強調表示を行い（ステップ１００４）、強調表示経路２３を表示する。
この強調表示により、新たに予約した光ケーブル心線のルート、または切断あるいは接続した光ケーブル心線のルートが設備図上で明瞭になり、予約したルートが妥当であるかを容易に確認することが可能になる。
【００２１】
このように、本実施形態によれば、光ケーブルネットワーク上で指定した光ケーブル心線の状態を心線単位で更新し、かつ更新後の状態情報について、設備図上における強調表示といった方法で視覚的に確認することが可能となり、新規に予約した心線のルートの妥当性の確認、今後の設備投資等の判断材料として利用することができる。
【図面の簡単な説明】
【００２２】
【図１】本発明に係る光ケーブルネットワーク設備管理システムの一実施の形態を示すブロック図である。
【図２】光ネットワーク設備の属性情報の構成を示す図である。
【図３】光ケーブル接続情報の構成を示す図である。
【図４】光ケーブル心線接続情報の構成を示す図である。
【図５】光ケーブル心線状態情報の構成を示す図である。
【図６】光ケーブル心線の新規予約などの行う場合の手順を説明するための図である。
【図７】状態を更新した光ケーブル心線のルートを強調表示した例を示す図である。
【図８】状態情報属性作成処理を示すフローチャートである。
【図９】状態情報属性集計処理を示すフローチャートである。
【図１０】状態情報属性強調表示処理を示すフローチャートである。
【符号の説明】
【００２３】
１    入力装置
２    中央処理装置
３    設備図ファイル
４    属性ファイル
５    表示装置
６    属性情報
７    光ケーブル接続情報
８    光ケーブル心線接続情報
９    光ケーブル心線状態情報
１０    設備図
１１    ケーブル
１２    クロージャ
１３    建物設備
１４    光ケーブル心線選択画面
１５    光ケーブル心線接続・切断画面
１６    状態情報属性入力画面
１７    状態情報属性作成処理
１８    状態情報集計画面
１９    状態情報選択画面
２０    状態情報属性集計処理
２１    予約情報強調表示処理
２２    状態情報属性集計結果表示画面
２３    強調表示経路
【図１】
2006333537.tif 000003
【図２】
2006333537.tif 000004
【図３】
2006333537.tif 000005
【図４】
2006333537.tif 000006
【図５】
2006333537.tif 000007
【図６】
2006333537.tif 000008
【図７】
2006333537.tif 000009
【図８】
2006333537.tif 000010
【図９】
2006333537.tif 000011
【図１０】
2006333537.tif 000012